(57)【要約】      （修正有）【課題】新規の設計を備えた警告装置を提供すること。【解決手段】電気装置および出力端子を備える上方支持部と、光を透過させる、光源が設けられる、それぞれが相互連結されて環を形成し、電気接触を確立する少なくとも３本の照明放電管とを備える警告装置であって、管の１本が上述の出力端子に接続されて、遮蔽のない照明放電管の照射を可能にすること。又、水平照明放電管に両端で突出棒がそれぞれ設けられ、突出棒の一方に、電気端子が設けられ、上方支持部の両端に、上向きに延びる対応するスリーブがそれぞれ設けられ、電気端子付きの突出棒に対応するスリーブに、電気出力がさらに設けられて、位置付け係合および電気接触を実現すること。【選択図】図１
0003122061.tif 000002
【実用新案登録請求の範囲】
【請求項１】
電気装置および出力端子を備える上方支持部と、
光を透過させる、光源が設けられる、それぞれが相互連結されて環を形成し、電気接触を確立する少なくとも３本の照明放電管と
を備える警告装置であって、管の１本が上述の出力端子に接続されて、遮蔽のない照明放電管の照射を可能にすることを特徴とする警告装置。
【請求項２】
上方支持部の底に、上方支持部に回転連結される下方支持部がさらに設けられ、上方支持部と下方支持部に、それらの両端でそれぞれ下向きに延びる支持部脚が設けられることを特徴とする請求項１に記載の警告装置。
【請求項３】
上方支持部の両側の底に、それぞれ下方支持部がさらに設けられ、それが、上方支持部に回転連結され、下方支持部の両端にそれぞれ下向きに延びる支持部脚が設けられることを特徴とする請求項１に記載の警告装置。
【請求項４】
照明放射管に色彩があり、光を透過させることを特徴とする請求項１に記載の警告装置。
【請求項５】
照明放射管が無彩色であり、それらの内壁に反射布が溶着されることを特徴とする請求項１記載の警告装置。
【請求項６】
光源がＬＥＤであることを特徴とする請求項１に記載の警告装置。
【請求項７】
電気装置が点滅光回路であることを特徴とする請求項１に記載の警告装置。
【請求項８】
水平照明放電管に両端で突出棒がそれぞれ設けられ、突出棒の一方に、電気端子が設けられ、上方支持部の両端に、上向きに延びる対応するスリーブがそれぞれ設けられ、電気端子付きの突出棒に対応するスリーブに、電気出力がさらに設けられて、位置付け係合および電気接触を実現することを特徴とする請求項１に記載の警告装置。
【請求項９】
電気装置に電池およびスイッチが設けられることを特徴とする請求項１に記載の警告装置。
【請求項１０】
上方支持部および下方支持部の連結がネジ穴とネジで実現されることを特徴とする請求項１に記載の警告装置。
【考案の詳細な説明】
【技術分野】
【０００１】
本考案は、警告装置、特に死角のない警告装置、即ち様々な角度で照射することが可能な警告装置に関する。
【背景技術】
【０００２】
様々な種類の警告装置が、我々の日常生活で一般的に見られる。例えば通行止めおよび三角形状の警告フレームは、一般的に見られる警告装置のうちのほんの２つでしかない。これらの警告装置で使用される技術も、全く異なり、反射材料を使用するものや、点滅ＬＥＤ（発光ダイオード）の電子装置を使用するものもある。基本的に、その目的は、大きな視覚的注意を引いて、警告信号を送ることにある。
【０００３】
例えば、従来型の先行技術による警告装置である中華民国特許第４２４，８１２号の「警告フレーム」は、照明のないテーパ構造である。また、中華民国特許第３３５，２０１号の「警告フレーム」は、照明本体が風で揺動するように懸吊によって設置される。さらに中華民国特許第４５４，７１７号の「車両屋根の警告フレーム」は、風で回転する風車と類似の警告構造を開示している。
【０００４】
従来型の三角形状警告フレームは１つの警告面しか有さないので、三角形状の警告フレームに設置されるＬＥＤ点滅光は、どのようにしてもＬＥＤの最大能力を示さない。
【特許文献１】中華民国特許第４２４，８１２号
【特許文献２】中華民国特許第３３５，２０１号
【特許文献３】中華民国特許第４５４，７１７号
【考案の開示】
【考案が解決しようとする課題】
【０００５】
したがって新規の設計を備えた警告装置を有することが必要である。警告装置の設計、生産、およびマーケティングにおける長年の経験から、本考案者は、多数の実験を経て本「警告装置」を提供するものである。
【課題を解決するための手段】
【０００６】
前記目的を達成するため、本考案の警告装置は、
電気装置および出力端子を備える上方支持部と、
光を透過させる、光源が設けられる、それぞれが相互連結されて環を形成し、電気接触を確立する少なくとも３本の照明放電管と
を備える警告装置であって、管の１本が上述の出力端子に接続されて、遮蔽のない照明放電管の照射を可能にすることからなる。
又、上方支持部の底に、上方支持部に回転連結される下方支持部がさらに設けられ、上方支持部と下方支持部に、それらの両端でそれぞれ下向きに延びる支持部脚が設けられることが好適である。
又、上方支持部の両側の底に、それぞれ下方支持部がさらに設けられ、それが、上方支持部に回転連結され、下方支持部の両端にそれぞれ下向きに延びる支持部脚が設けられることが好適である。
又、照明放射管に色彩があり、光を透過させることが好適である。
又、照明放射管が無彩色であり、それらの内壁に反射布が溶着されることが好適である。
又、光源がＬＥＤであることが好適である。
又、電気装置が点滅光回路であることが好適である。
又、水平照明放電管に両端で突出棒がそれぞれ設けられ、突出棒の一方に、電気端子が設けられ、上方支持部の両端に、上向きに延びる対応するスリーブがそれぞれ設けられ、電気端子付きの突出棒に対応するスリーブに、電気出力がさらに設けられて、位置付け係合および電気接触を実現することが好適である。
又、電気装置に電池およびスイッチが設けられることが好適である。
さらに、上方支持部および下方支持部の連結がネジ穴とネジで実現されることが好適である。
【考案を実施するための最良の形態】
【０００７】
本考案による警告装置の詳細をさらに説明するために、最初に概略図を参照されたいが、図１は、本考案による警告装置の好ましい実施形態の分解図であり、図２は、本考案による警告装置のアセンブリの斜視図であり、図３は、本考案による警告装置の他の実施形態の概略図である。
【０００８】
図に示すように、この警告装置は、下方支持部１、上方支持部２、および３本の照明放電管３を備える。下方支持部１は長い棒であり、下方支持部１の両端でそれぞれ下方支持部脚１１が下向きに延び、下方支持部１の中間に底穴１２が設けられ、その内壁に雌型ネジ山１３が設けられる。より充分な安定をより充分に達成するために、下方支持部１は、高密度の材料、限定しないが例えば金属から作られる。
【０００９】
上方支持部２には、下方支持部１と同様に、上方支持部２の両端で上方支持部脚２１がそれぞれ設けられ、上方支持部２の中間には、底穴１２で位置付ける連結器２２が設けられる。連結器２２は、ネジ山付の穴であり、さらにネジと係合することができ、下向きに延びるネジであることができ、ナットによって底穴１２とさらに係合することができ、あるいは単に穴１２を通過する棒であることができるが、それらは従来型の先行技術でありここではさらに論じない。
【００１０】
電力供給および電力制御をし易くするために、上方支持部２の底に設けられた電気装置２３は、少なくとも電気回路、電池、および制御スイッチを備えるが、それらは従来型の先行技術でありここではさらに論じない。さらに、上方支持部２の両端にはそれぞれ、上向きに延びるスリーブ２４が設けられる。スリーブ２４の一方は、以下に述べる照明放電管３に設けられた突出棒３１に連結され、電気接触する。
【００１１】
照明放電管３は、円形断面の管であることが好ましいが、それに限定されず、少なくとも３本の管を備える。照明放電管３の両端には連結器が設けられて、照明放電管３を、環を形成することができるように一緒に連結することができる。本考案の一実施形態では、３本の照明放電管３が三角形状を形成する。照明放電管３同士の連結は、固定連結であるが、取り外しも簡単であり、照明放電管３同士の連結用の連結器は、電気端子である。さらに、下方の水平照明放電管３には、両端にそれぞれ突出棒３１が設けられる。突出棒３１の一方は、スリーブ２４と連結され、電気接触し、先に述べた上方支持部２と容易に取り外し可能に連結される。簡単な取り外しという点では、締具を設けて連結を固定することができるが、それは従来型の先行技術であり、ここではさらに論じない。
【００１２】
照明放電管３は、光を透過させる材料から作られることが好ましい。照明放電管３の色彩は、例えば赤であるが、それに限定されない。警告効果を高めるために、照明放電管３の内壁には、反射布３２を溶着することができる。光を照射するために、光源３３、例えばＬＥＤを設けて点滅効果を実現することができる。その結果、電気装置２３には点滅光回路を設けることができるが、それは従来型の先行技術であり、ここではさらに論じない。
【００１３】
図２を参照すると、警告装置を組み立てる時、照明放電管３は一緒に連結され、相互に電気接触する。下方支持部１は上方支持部２とも連結され、これが水平照明放電管３とさらに連結されて、適切な位置に配置することが可能な状態を形成する。電力が供給されると、照明放電管３は光を放つことができる。
【００１４】
照明放射管３は遮蔽のない管形状である。その結果、照明放電管３から放たれる光は、様々な角度から見ることができ、これは従来型の先行技術では実現することができず、一技術革新と考えることができる。
【００１５】
本考案による警告装置を実施する時、上方支持部２および下方支持部１を、より重い材料から成る、構造体全体を直立状態で支持することのできる単一の上方支持部２と置き換えることができる。
【００１６】
図３を参照すると、本考案による警告装置の他の実施形態に、２つの下方支持部１が設けられ、それらは上方支持部２の両側にそれぞれ配設される。下方支持部１は、引き込めて格納し、又は回転によって広がって、フレームを形成することができる。
【００１７】
本考案をその好ましい実施形態を参照して記述したが、添付の請求項によって規定する本考案の精神から逸脱せずに、修正形態又は変化形態を容易に作ることができることを理解されたい。
【図面の簡単な説明】
【００１８】
【図１】本考案による警告装置の好ましい実施形態の分解斜視図である。
【図２】本考案による警告装置のアセンブリの斜視図である。
【図３】本考案による警告装置の他の実施形態の概略図である。
【符号の説明】
【００１９】
１  下方支持部
２  上方支持部
３  照明放電管
１１  下方支持部脚
１２  底穴
１３  雌型ネジ山
２２  連結器
２３  電気装置
２４  スリーブ
３１  突出棒
３２  反射布
３３  光源
【図１】
0003122061.tif 000003
【図２】
0003122061.tif 000004
【図３】
0003122061.tif 000005